(57)【要約】      （修正有）【課題】掃除に便利であり、足を温めることと、加熱待機中の対象をドライにすることができる暖房装置を提供する。【解決手段】暖房装置１００は、支持ケース、及び支持ケース内に配置された暖房機構を備え、支持ケースは、底台２１、及び底台の一側に配置されたカバー部を備え、底台は、ペダルが配置され、カバー部は、吸込口が開設され、暖房機構は、送風部及び加熱部を備え、カバー部は、第一支持部２０１及び第二支持部２０２を備え、第一支持部は、底台と第二支持部を接続し、第二支持部は、ペダルと対向するように配置され、第一支持部及び第二支持部それぞれにおけるペダルに向かい、或いは近づく一側には、吹出口２０３、２０４が開設され、送風部は、吸込口から入って加熱部により加熱された空気を吹出口から吹出する位置に配置される。【選択図】図１
0003228769.tif 000002
【実用新案登録請求の範囲】
【請求項１】
暖房装置であって、
前記暖房装置は、支持ケース、及び前記支持ケース内に配置された暖房機構を備え、
前記支持ケースは、底台、及び前記底台の一側に配置されたカバー部を備え、
前記底台は、ペダルが配置され、
前記カバー部は、吸込口が開設され、
前記暖房機構は、送風部及び加熱部を備え、
前記カバー部は、第一支持部及び第二支持部を備え、
前記第一支持部は、前記底台と前記第二支持部を接続し、
前記第二支持部は、前記ペダルと対向するように配置され、
前記第一支持部及び前記第二支持部それぞれにおける前記ペダルに向かい、或いは近づく一側には、吹出口が開設され、
前記送風部は、前記吸込口から入って前記加熱部により加熱された空気を前記吹出口から吹出する位置に配置されることを特徴とする暖房装置。
【請求項２】
前記暖房機構は、さらに分流子を備え、
前記分流子は、前記第一支持部及び前記第二支持部吹出口からの風量を調節するための位置に配置されることを特徴とする請求項１に記載の暖房装置。
【請求項３】
前記分流子は、ストッパ板、及び前記ストッパ板一側に設置された調節部を備え、
前記ストッパ板は、回転可能に前記支持ケースに設置され、前記加熱部の一側に位置し、前記ストッパ板は、前記第一支持部及び前記第二支持部の吹出口からの風量を調節するための位置に配置され、
前記調節部は、前記支持ケースに配置されて、前記ストッパ板の回転角度を調節した後、前記ストッパ板を固定することを特徴とする請求項２に記載の暖房装置。
【請求項４】
前記調節部は、シャフト、弾性部、保持部、調節ダイヤル及びつまみを備え、
前記シャフトは、回転可能に前記カバー部に配置され，
前記ストッパ板及び前記つまみは、それぞれ回転停止するように前記シャフトの両端に設置され、且つ、前記つまみが前記カバー部の外部に設置され、
前記調節ダイヤルは、カバー部に配置され、
前記調節ダイヤルは、周方向に沿って複数の位置決め孔が開設され、
前記ストッパ板は、収容溝が設けられ、
前記保持部は、スライド可能に前記収容溝に設置され、
前記弾性部は、前記収容溝に設置され、前記保持部と当接して前記保持部を前記位置決め孔に係入させることを特徴とする請求項３に記載の暖房装置。
【請求項５】
前記カバー部と前記底台が囲んで第一キャビティを形成し、
前記支持ケースは、さらに導風カバーを備え、
前記導風カバーは、前記第一キャビティ内に設置され、
前記導風カバー内部に第二キャビティが設けられ、
前記第一キャビティは、前記吸込口及び前記第二キャビティのそれぞれと連通し、
前記第二キャビティは、前記吹出口と連通し、
前記送風部及び前記加熱部は、前記第二キャビティ内に設置されることを特徴とする請求項１に記載の暖房装置。
【請求項６】
前記導風カバーは、互いに接続する送風カバー及び吹出カバーを備え、
前記送風部には、第三キャビティが設けられ、
前記吹出カバーには、第四キャビティが設けられ、
前記第三キャビティ及び第四キャビティは、前記第二キャビティを形成し、
２つの前記吹出口は、前記第四キャビティと連通し、
前記送風部は、前記第三キャビティ内に設置され、
前記吹出カバーには、熱風口が設けられて、前記第三キャビティ及び第四キャビティと連通させ、
前記加熱部は、前記熱風口に設置して、前記第四キャビティに入った気流を加熱することを特徴とする請求項５に記載の暖房装置。
【請求項７】
前記暖房装置は、さらにトレイ部材を備え、
前記トレイ部材は、トレイ及び前記トレイの両側に設置されたホルダーを備え、
２つの前記ホルダーは、それぞれ前記底台の両側に係合されて、
前記トレイが前記ペダルの上方に位置し、
前記トレイにおける前記ペダルから離れる一側には、収納溝が設けられることを特徴とする請求項１に記載の暖房装置。
【請求項８】
前記暖房装置は、さらにコントローラを備え、
前記コントローラは、前記第二支持部に設置され、
前記コントローラは、前記加熱部及び前記送風部と電気的に接続され、
前記コントローラは、前記加熱部的加熱温度の調節及び前記送風部的風量の調節を御制し、
前記コントローラには、コントロールパネルが配置されていることを特徴とする請求項１に記載の暖房装置。
【請求項９】
前記暖房装置は、さらにセンサ及びスイッチを備え、
前記センサは、前記第一支持部における前記ペダルに向かう一側に配置され、
前記スイッチは、前記第二支持部に配置され、
前記センサおよび前記スイッチは、それぞれ前記コントローラと電気的に接続され、
前記コントローラは、前記スイッチの作動と停止を御制し、
前記センサは、加熱待機中の対象を検査し、且つ前記コントローラへフィードバックすることを特徴とする請求項８に記載の暖房装置。
【請求項１０】
前記暖房装置は、さらにイオン発生機を備え、
前記イオン発生機は、前記支持ケース内に設置されることを特徴とする請求項１に記載の暖房装置。
【考案の詳細な説明】
【技術分野】
【０００１】
本考案は、暖房装置に関するものである。
【背景技術】
【０００２】
足は人体の重要な部分であり、足が冷えると不快感を覚える。日常生活では、気候変動により足が冷たくなることが多く、寝る前に足を洗う習慣があるが、冬に足を乾かすことが不便で、自然乾燥では足が冷たくなる。また、冬が比較的に寒い地域では、暖かい靴を履いても冷たく感じるため、市場にはたくさんのフットウォーマーがあり、暖かいビニール袋に足を入れて足を温めるが、足が汗をかきやすくなり、フットウォーマーの掃除が不便であり、フットウォーマーの長期使用は足を汚染する恐れがあり、靴が雨や雪に濡れている場合、フットウォーマーを使用して乾燥することもできない。
【考案の概要】
【考案が解決しようとする課題】
【０００３】
以上の問題点に鑑みて、暖房装置を提供する。
【課題を解決するための手段】
【０００４】
本考案が提供した暖房装置は、支持ケース、及び前記支持ケース内に配置された暖房機構を備え、前記支持ケースは、底台、及び前記底台の一側に配置されたカバー部を備え、前記底台は、ペダルが配置され、前記カバー部は、吸込口が開設され、前記暖房機構は、送風部及び加熱部を備え、前記カバー部は、第一支持部及び第二支持部を備え、前記第一支持部は、前記底台と前記第二支持部を接続し、前記第二支持部は、前記ペダルと対向するように配置され、前記第一支持部及び前記第二支持部それぞれにおける前記ペダルに向かい、或いは近づく一側には、吹出口が開設され、前記送風部は、前記吸込口から入って前記加熱部により加熱された空気を前記吹出口から吹出する位置に配置される。
【０００５】
詳しくは、前記暖房機構は、さらに分流子を備え、前記分流子は、前記第一支持部及び前記第二支持部吹出口からの風量を調節するための位置に配置される。
【０００６】
詳しくは、前記分流子は、ストッパ板、及び前記ストッパ板一側に設置された調節部を備え、前記ストッパ板は、回転可能に前記支持ケースに設置され、前記加熱部の一側に位置し、前記ストッパ板は、前記第一支持部及び前記第二支持部の吹出口からの風量を調節するための位置に配置され、前記調節部は、前記支持ケースに配置されて、前記ストッパ板の回転角度を調節した後、前記ストッパ板を固定する。
【０００７】
詳しくは、前記調節部は、シャフト、弾性部、保持部、調節ダイヤル及びつまみを備え、前記シャフトは、回転可能に前記カバー部に配置され、前記ストッパ板及び前記つまみは、それぞれ回転停止するように前記シャフトの両端に設置され、且つ前記つまみが前記カバー部の外部に設置され、前記調節ダイヤルは、カバー部に配置され、前記調節ダイヤルは、周方向に沿って複数の位置決め孔が開設され、前記ストッパ板は、収容溝が設けられ、前記保持部は、スライド可能に前記収容溝に設置され、前記弾性部は、前記収容溝に設置され、前記保持部と当接して前記保持部を前記位置決め孔に係入させる。
【０００８】
詳しくは、前記カバー部と前記底台が囲んで第一キャビティを形成し、前記支持ケースは、さらに導風カバーを備え、前記導風カバーは、前記第一キャビティ内に設置され、前記導風カバー内部に第二キャビティが設けられ、前記第一キャビティは、前記吸込口及び前記第二キャビティのそれぞれと連通し、前記第二キャビティは、前記吹出口と連通し、前記送風部及び前記加熱部は、前記第二キャビティ内に設置される。
【０００９】
詳しくは、前記導風カバーは、互いに接続する送風カバー及び吹出カバーを備え、前記送風部には、第三キャビティが設けられ、前記吹出カバーには、第四キャビティが設けられ、前記第三キャビティ及び第四キャビティは、前記第二キャビティを形成し、２つの前記吹出口は、前記第四キャビティと連通し、前記送風部は、前記第三キャビティ内に設置され、前記吹出カバーには、熱風口が設けられて、前記第三キャビティ及び前記第四キャビティと連通させ、前記加熱部は、前記熱風口に設置して、前記第四キャビティに入った気流を加熱する。
【００１０】
詳しくは、前記暖房装置は、さらにトレイ部材を備え、前記トレイ部材は、トレイ及び前記トレイの両側に設置されたホルダーを備え、２つの前記ホルダーは、それぞれ前記底台の両側に係合されて、前記トレイが前記ペダルの上方に位置し、前記トレイにおける前記ペダルから離れる一側には、収納溝が設けられる。
【００１１】
詳しくは、前記暖房装置は、さらにコントローラを備え、前記コントローラは、前記第二支持部に設置され、前記コントローラは、前記加熱部及び前記送風部と電気的に接続され、前記コントローラは、前記加熱部的加熱温度の調節、及び前記送風部的風量の調節を御制し、前記コントローラには、コントロールパネルが配置されている。
【００１２】
詳しくは、前記暖房装置は、さらにセンサ及びスイッチを備え、前記センサは、前記第一支持部における前記ペダルに向かう一側に配置され、前記スイッチは、前記第二支持部に配置され、前記センサ、前記スイッチは、それぞれ前記コントローラと電気的に接続され、前記コントローラは、前記スイッチの作動と停止を御制し、前記センサは、加熱待機中の対象を検査し、且つ前記コントローラへフィードバックする。
【００１３】
詳しくは、前記暖房装置は、さらにイオン発生機を備え、前記イオン発生機は、前記支持ケース内に設置される。
【考案の効果】
【００１４】
暖房装置は、ペダルを配置して加熱待機中の対象を放置して、ペダルの掃除に便利である。第一支持部をペダルの一側に設置し、第二支持部を第一支持部におけるペダルに向かって延長し、第一支持部及び第二支持部には、それぞれ吹出口を設けられて加熱対象へ熱風を提供して、足を温めることと、或いは加熱待機中の対象をドライすることを実現する。
【図面の簡単な説明】
【００１５】
【図１】図１は、本考案の実施形態における暖房装置の概略斜視図である。
【図２】図２は、図１に示す暖房装置の別の視点からの概略斜視図である。
【図３】図３は、図1に示す暖房装置の概略分解斜視図である。
【図４】図４は、図１に示す暖房装置から後面カバー及び上部カバーを取り外した状態の概略斜視図である。
【図５】図５は、図４に示す第二分割カバー及び蓋部を取り外した状態の概略斜視図である。
【図６】図６は、図５に示す暖房装置がシャフトの軸線に沿った部分断面図である。
【図７】図７は、図１に示す暖房装置内部の空気の流れを表す概略図である。
【考案を実施するための形態】
【００１６】
ここで説明される図面は本考案を更に理解するためのものであって、本願の一部となり、本考案の模式的な実施例及びその説明は本考案を解釈するためのものであり、本考案を制限するためのものではない。本考案の実施例に基づき、当業者が創造的な労働を必要とせずに得られる他の実施例は、いずれも本考案の保護範囲に属する。
【００１７】
なお、一方のアセンブリが他方のアセンブリに「接続」されると見なされる場合、他方のアセンブリに直接接続されてもよいし、同時に介在されるアセンブリが存在する可能性もある。一方のアセンブリが他方のアセンブリに「配置」されると見なされる場合、他方のアセンブリに直接配置されてもよいし、同時に介在されるアセンブリが存在する可能性もある。
【００１８】
特に定義しない限り、本明細書に使用されるすべての技術用語及び科学用語は本考案の技術分野に属する当業者が一般に理解する意味と同じである。本明細書において、本考案の明細書に使用される用語は具体的な実施例を説明するためのものであり、本考案を制限するためのものではない。
【００１９】
本明細書に使用される用語「及び／又は」は関連する列挙した項目のうちの１つ又は複数の任意及びすべての組み合わせを含む。
【００２０】
図１及び図２を併せて参照すると、暖房装置１００は、スイッチ１０、支持ケース２０及び暖房機構３０を備える。暖房機構３０は、スイッチ１０に接続される。支持ケース２０は、底台２１、及び底台の一側に設置されたカバー部２３を備える。底台２１には、ペダル２１３１が配置されている。カバー部２３は、第一支持部２０１及び第二支持部２０２を備える。第一支持部２０１は、底台２１の一側に設けられている。第二支持部２０２は、第一支持部２０１におけるペダル２１３１に向かう一側に位置する。第一支持部２０１及び第二支持部２０２のそれぞれには、ペダル２１３１に向かって吹出口２０３及び吹出口２０４が開設される。カバー部２３には、吸込口２０５が開設される。暖房機構３０は、送風部３１及び加熱部３３を備える。送風部３１は、吸込口２０５から入った空気が加熱部３３により加熱された後、吹出口２０３、２０４から吹出する位置に配置される
【００２１】
実施例において，加熱部３３は、ＰＴＣ（Ｐｏｓｉｔｉｖｅ  Ｔｅｍｐｅｒａｔｕｒｅ  Ｃｏｅｆｆｉｃｉｅｎｔ）加熱器であるが、これに限定されない。ほかの実施例において、加熱部は、抵抗線などの加熱構造でもよい。
【００２２】
図２、図３及び図７を併せて参照すると、底台２１は、ベース体２１１及びベースカバー２１３を備える。ベースカバー２１３は、ベース体２１１に配置される。ペダル２１３１は、ベースカバー２１３におけるベース体２１１から離れる一側に配置される。ペダル２１３１は、行列状の複数の突起部２１３３が設けられる。カバー部２３と底台２１が囲んで第一キャビティ２０６を形成する。カバー部２３は、前面カバー２３１、後面カバー２３３及び上部カバー２３５を備える。前面カバー２３１及び後面カバー２３３は、互いに対向するようにベース体２１１に配置される。前面カバー２３１は、後面カバー２３３におけるペダル２１３１に向かう一側に位置する。後面カバー２３３は、互いに接続する第一後面カバー体２３３１及び第二後面カバー体２３３３を備える。第一後面カバー体２３３１は、ベース体２１１に設けられる。第二後面カバー体２３３３は、第一後面カバー体２３３１におけるペダル２１３１に向かって延長した一側に位置する。前面カバー２３１は、互いに接続する第一前面カバー体２３１１及び第二前面カバー体２３１３を備える。第一前面カバー体２３１１は、第一後面カバー体２３３１と接続して第一支持部２０１を形成する。第二前面カバー体２３１３は、第一前面カバー体２３１１におけるペダル２１３１に向かって延長した一側に位置する。上部カバー２３５は、第二前面カバー体２３１３及び第二後面カバー体２３３３とそれぞれ接続して第二支持部２０２を形成する。
【００２３】
図２を参照すると、後面カバー２３３の一部壁が凹んで持手部２３３５を形成して収脱し易くなる。ほかの実施例において、持手部２３３５は、取手でもよいし、或いは持手部２３３５を省略してもよい。
【００２４】
図２及び図３を併せて参照すると、支持ケース２０は、さらにフィルタ２７を備える。フィルタ２７の両側には、濾過口２７１が設けられる。フィルタ２７は、吸込口２０５に配置され、濾過口２７１は、吸込口２０５と連通する。ほかの実施例において、フィルタ２７を省略してもよい。
【００２５】
図３、図４及び図７を併せて参照すると、支持ケース２０は、さらに導風カバー２５を備える。導風カバー２５は、第一キャビティ２０６内に設けられる。導風カバー２５内部には、第二キャビティ２５１が設けられる。第一キャビティ２０６は、吸込口２０５及び第二キャビティ２５１とそれぞれ連通する。第二キャビティ２５１は、吹出口２０３及び吹出口２０４と連通する。送風部３１及び加熱部３３は、第二キャビティ２５１内に設置される。詳しくは、導風カバー２５は、互いに接続する送風カバー２５３及び吹出カバー２５５を備える。送風部３１には、第三キャビティ２５３１が設けられる。吹出カバー２５５には、第四キャビティ２５５１が設けられる。第三キャビティ２５３１及び第四キャビティ２５５１は、第二キャビティ２５１を形成する。吹出口２０３及び吹出口２０４は、第四キャビティ２５５１と連通する。送風部３１は、第三キャビティ２５３１内に設置される。吹出カバー２５５は、熱風口２５５３が設けられて、第三キャビティ２５３１と第四キャビティ２５５１が連通する。加熱部３３は、熱風口２５５３が設けられて、第四キャビティ２５５１に入った気流を加熱し、加熱された気流が吹出口２０３及び吹出口２０４から吹出してペダルに放置した対象を加熱し、対象は、人の足、靴、或いはほかのドライ待機中の物である。
【００２６】
図４及び図５を併せて参照すると、送風カバー２５３は、座部２５３３及び蓋部２５３５を備える。座部２５３３は、ベース体２１１に配置される。蓋部２５３５は、座部２５３３をカバーするように配置して第三キャビティ２５３１を形成する。吹出カバー２５５は、第一分割カバー２５５５及び第二分割カバー２５５７を備える。第一分割カバー２５５５は、前面カバー２３１に配置される。第二分割カバー２５５７は、第一分割カバー２５５５及び蓋部２５３５それぞれと接続して第四キャビティ２５５１及び熱風口２５５３を形成する。
【００２７】
図３及び図５を併せて参照すると、送風部３１は、駆動部３１１及びファン３１３を備える。ファン３１３は、キャリア３１３１及び複数のファンブレード３１３５を備える。キャリア３１３１は、円柱構造を呈する。キャリア３１３１は、ベース体２１１に回転可能に配置される。複数のファンブレード３１３５は、周方向に沿って均一にキャリア３１３１に配置される。送風カバー２５３の両側には、吸込み口２５３７が設けられ、吸込み口２５３７は、第三キャビティ２５３１及び第一キャビティ２０６を連通させ、吸込み口２５３７は、キャリア３１３１の内腔と対向する。駆動部３１１は、ベース体２１１に設置されて、キャリア３１３１が周方向に沿って回転するように駆動する。ファン３１３が回転して気流がキャリア３１３１の内腔から外部に向かって流れる。ほかの実施例において、送風部３１は、ほかのファン３１３構造でもよい。
【００２８】
図５及び図７を併せて参照すると、暖房機構３０は、さらに分流子３５を備える。分流子３５は、第一支持部２０１及び第二支持部２０２の吹出口２０３、２０４からの風量を調節するための位置に配置される。分流子３５は、ストッパ板３５１及びストッパ板３５１に設置された調節部３５３を備える。ストッパ板３５１は、回転可能に第二キャビティ２５１内に配置され、加熱部３３の一側に位置する。ストッパ板３５１は、吹出口２０３及び吹出口２０４をそれぞれストッパ板３５１の両側に位置させる。ストッパ板３５１が回転されて異なる角度になって、吹出口２０３及び吹出口２０４の風量を調節する。調節部３５３は、導風カバー２５に配置され、ストッパ板３５１の回転角度を調節した後に、ストッパ板３５１を固定する。
【００２９】
図１、図５及び図７を併せて参照すると、詳しくは、調節部３５３は、シャフト３５３１、弾性部３５３２、保持部３５３５、調節ダイヤル３５３３及びつまみ３５３６を備える。シャフト３５３１は、回転可能に導風カバー２５に配置される。ストッパ板３５１及びつまみ３５３６は、それぞれ回転停止するようにシャフト３５３１の両端に設置される。つまみ３５３６は、導風カバー２５の外部に設置されて人手で調節することができる。調節ダイヤル３５３３は、導風カバー２５に配置される。調節ダイヤル３５３３は、周方向に沿って複数の位置決め孔３５３４が開設される。ストッパ板３５１には、収容溝３５１１が設けられる。保持部３５３５は、スライド可能に収容溝３５１１に設置される。弾性部３５３２は、収容溝３５１１に設置されて、保持部３５３５と当接して保持部３５３５を位置決め孔３５３４に係入させる。保持部３５３５は、異なる位置決め孔３５３４に係入して、ストッパ板３５１を異なる角度に位置決めて、加熱後の気流がストッパ板３５１の両側からそれぞれ吹出口２０３及び吹出口２０４に流れる。
【００３０】
ほかの実施例において、暖房機構３０は、さらに２つの分流子３５を備える。２つの分流子３５それぞれも回転可能に導風カバー２５に配置され、それぞれ対応する吹出口２０３及び吹出口２０４処に位置して、それぞれ独立に吹出口２０３及び吹出口２０４の風量を調節する。
【００３１】
図１及び図３を併せて参照すると、暖房装置１００は、さらにトレイ部材４０を備える。トレイ部材４０は、トレイ４１、及びトレイ４１の両側に設置されたホルダー４３を備える。２つのホルダー４３は、トレイ４１がペダルの上方に位置するようにそれぞれ底台２１の両側に係合される。トレイ４１におけるペダルから離れる一側には、収納溝４１１が設けられる。靴、或いは衣服などほかのものをドライする場合、トレイ部材４０を底台２１に取り付ける。足を温める場合、トレイ部材４０を取り外す。ほかの実施例において、トレイ部材４０も省略できる。
【００３２】
図１及び図４を併せて参照すると、暖房装置１００は、さらにコントローラ５０を備える。コントローラ５０は、上部カバー２３５に設置される。コントローラ５０は、加熱部３３及び送風部３１と電気的に接続される。コントローラ５０は、加熱部３３の加熱温度の調節及び送風部３１の風量の調節を御制する。コントローラ５０には、コントロールパネル５１が配置されており、使用者がコントロールパネル５１によって風量及び温度を調節する。
【００３３】
図１を参照すると、暖房装置１００は、さらにセンサ６０を備える。センサ６０は、前面カバー２３１におけるペダルに向かう一側に配置される。センサ６０は、スイッチ１０及びコントローラ５０とそれぞれ電気的に接続される。センサ６０は、加熱待機中の対象が検査された際、コントローラ５０へフィードバックし、コントローラ５０がスイッチ１０の作動と停止を御制する。ほかの実施例において，センサ６０を省略してもよい。使用者は、コントロールパネル５１によってセンサ６０を利用して加熱対象を検知するかどうかを選択して御制を執行する。
【００３４】
図３を参照すると、暖房装置１００は、さらにイオン発生機７０を備える。イオン発生機７０は、コントローラ５０と電気的に接続される。イオン発生機７０は、支持ケース２０内に設置される。イオン発生器７０は、高圧直流を利用して空気分子をイオン化し、最終的により多くのマイナスイオンを得って、暖房装置１００が抗菌機能を実現する。ほかの実施例において、イオン発生機７０を省略してもよい。
【００３５】
ほかの実施例において、分流子３５は、流量制御弁でもよいし、コントローラ５０と電気的に接続されてもよい。コントローラ５０は、分流子３５を御制して吹出口２０３及び吹出口２０４の風量を調節する。
【００３６】
実施例において、暖房装置１００は、足を温める機能、抗菌機能、靴をドライする機能との３つの機能を実現する。使用者は、コントロールパネル５１によって機能を選択する。抗菌機能と足を温める機能或いは靴をドライする機能を同時に行うこともできる。
【００３７】
図１及び図３を併せて参照すると、吹出口２０３及び吹出口２０４は、それぞれ複数のルーバ２３１５が設置されている。ルーバ２３１５を回転させて風の方向を変更する。第一支持部２０１に設置された吹出口２０３の風の方向と水平方向との間のなす角度αの範囲は、８°〜１２°或いは４５°〜６０°であり、第二支持部２０２の吹出口２０４風の方向と水平方向との間のなす角度βの範囲は、３１°〜３６°であるが、これに限定されない。実施例において、暖房装置１００が靴をドライする機能を実行する場合、角度αの範囲は、８°〜１２°であり、熱風を靴の開け口から内部に吹き込まれる。暖房装置１００が足を温める機能を実行する場合、角度αの範囲は、４５°〜６０°である。
【００３８】
暖房装置１００は、ペダル２１３１を配置して加熱待機中の対象を放置して、ペダル２１３１の掃除に便利である。第一支持部２０１をペダル２１３１の一側に設置し、第二支持部２０２を第一支持部２０１におけるペダル２１３１に向かって延長し、第一支持部２０１及び第二支持部２０２には、それぞれ吹出口２０３、２０４を設けられて加熱対象へ熱風を提供して、足を温めることと、或いは加熱待機中の対象をドライすることを実現する。
【００３９】
また、当業者であれば、本考案の趣旨の範囲内で他の変更も可能であり、本考案の趣旨に沿った変更は本考案の請求の範囲に含まれることは言うまでもない。
【符号の説明】
【００４０】
１００  暖房装置
１０  スイッチ
２０  支持ケース
２１  底台
２１１  ベース体
２１３  ベースカバー
２１３１  ペダル
２１３３  突起部
２３  カバー部
２０１  第一支持部
２０２  第二支持部
２０３，２０４  吹出口
２０５  吸込口
２０６  第一キャビティ
２３１  前面カバー
２３１１  第一前面カバー体
２３１３  第二前面カバー体
２３１５  ルーバ
２３３  後面カバー
２３３１  第一後面カバー体
２３３３  第二後面カバー体
２３３５  持手部
２３５  上部カバー
２５  導風カバー
２５１  第二キャビティ
２５３  送風カバー
２５３１  第三キャビティ
２５３３  座部
２５３５  蓋部
２５３７  吸込み口
２５５  吹出カバー
２５５１  第四キャビティ
２５５３  熱風口
２５５５  第一分割カバー
２５５７  第二分割カバー
２７  フィルタ
２７１  濾過口
３０  暖房機構
３１  送風部
３１１  駆動部
３１３  ファン
３１３１  キャリア
３１３５  ファンブレード
３３  加熱部
３５  分流子
３５１  ストッパ板
３５１１  収容溝
３５３  調節部
３５３１  シャフト
３５３２  弾性部
３５３３  調節ダイヤル
３５３４  位置決め孔
３５３５  保持部
３５３６  つまみ
４０  トレイ部材
４１  トレイ
４１１  収納溝
４３  ホルダー
５０  コントローラ
５１  コントロールパネル
６０  センサ
７０  イオン発生機
【図１】
0003228769.tif 000003
【図２】
0003228769.tif 000004
【図３】
0003228769.tif 000005
【図４】
0003228769.tif 000006
【図５】
0003228769.tif 000007
【図６】
0003228769.tif 000008
【図７】
0003228769.tif 000009
【手続補正書】
【提出日】令和2年8月5日(2020.8.5)
【手続補正１】
【補正対象書類名】実用新案登録請求の範囲
【補正対象項目名】全文
【補正方法】変更
【補正の内容】
【実用新案登録請求の範囲】
【請求項１】
暖房装置であって、
前記暖房装置は、支持ケース、及び前記支持ケース内に配置された暖房機構を備え、
前記支持ケースは、底台、及び前記底台の一側に配置されたカバー部を備え、
前記底台は、ペダルが配置され、
前記カバー部は、吸込口が開設され、
前記暖房機構は、送風部及び加熱部を備え、
前記カバー部は、第一支持部及び第二支持部を備え、
前記第一支持部は、前記底台と前記第二支持部を接続し、
前記第二支持部は、前記ペダルと対向するように配置され、
前記第一支持部及び前記第二支持部それぞれにおける前記ペダルに向かい、或いは近づく一側には、吹出口が開設され、
前記送風部は、前記吸込口から入って前記加熱部により加熱された空気を前記吹出口から吹出する位置に配置されることを特徴とする暖房装置。
【請求項２】
前記暖房機構は、さらに分流子を備え、
前記分流子は、前記第一支持部及び前記第二支持部の吹出口からの風量を調節するための位置に配置されることを特徴とする請求項１に記載の暖房装置。
【請求項３】
前記分流子は、ストッパ板、及び前記ストッパ板一側に設置された調節部を備え、
前記ストッパ板は、回転可能に前記支持ケースに設置され、前記加熱部の一側に位置し、前記ストッパ板は、前記第一支持部及び前記第二支持部の吹出口からの風量を調節するための位置に配置され、
前記調節部は、前記支持ケースに配置されて、前記ストッパ板の回転角度を調節した後、前記ストッパ板を固定することを特徴とする請求項２に記載の暖房装置。
【請求項４】
前記調節部は、シャフト、弾性部、保持部、調節ダイヤル及びつまみを備え、
前記シャフトは、回転可能に前記カバー部に配置され，
前記ストッパ板及び前記つまみは、それぞれ回転停止するように前記シャフトの両端に設置され、且つ、前記つまみが前記カバー部の外部に設置され、
前記調節ダイヤルは、カバー部に配置され、
前記調節ダイヤルは、周方向に沿って複数の位置決め孔が開設され、
前記ストッパ板は、収容溝が設けられ、
前記保持部は、スライド可能に前記収容溝に設置され、
前記弾性部は、前記収容溝に設置され、前記保持部と当接して前記保持部を前記位置決め孔に係入させることを特徴とする請求項３に記載の暖房装置。
【請求項５】
前記カバー部と前記底台が囲んで第一キャビティを形成し、
前記支持ケースは、さらに導風カバーを備え、
前記導風カバーは、前記第一キャビティ内に設置され、
前記導風カバー内部に第二キャビティが設けられ、
前記第一キャビティは、前記吸込口及び前記第二キャビティのそれぞれと連通し、
前記第二キャビティは、前記吹出口と連通し、
前記送風部及び前記加熱部は、前記第二キャビティ内に設置されることを特徴とする請求項１に記載の暖房装置。
【請求項６】
前記導風カバーは、互いに接続する送風カバー及び吹出カバーを備え、
前記送風部には、第三キャビティが設けられ、
前記吹出カバーには、第四キャビティが設けられ、
前記第三キャビティ及び第四キャビティは、前記第二キャビティを形成し、
２つの前記吹出口は、前記第四キャビティと連通し、
前記送風部は、前記第三キャビティ内に設置され、
前記吹出カバーには、熱風口が設けられて、前記第三キャビティ及び第四キャビティと連通させ、
前記加熱部は、前記熱風口に設置して、前記第四キャビティに入った気流を加熱することを特徴とする請求項５に記載の暖房装置。
【請求項７】
前記暖房装置は、さらにトレイ部材を備え、
前記トレイ部材は、トレイ及び前記トレイの両側に設置されたホルダーを備え、
２つの前記ホルダーは、それぞれ前記底台の両側に係合されて、
前記トレイが前記ペダルの上方に位置し、
前記トレイにおける前記ペダルから離れる一側には、収納溝が設けられることを特徴とする請求項１に記載の暖房装置。
【請求項８】
前記暖房装置は、さらにコントローラを備え、
前記コントローラは、前記第二支持部に設置され、
前記コントローラは、前記加熱部及び前記送風部と電気的に接続され、
前記コントローラは、前記加熱部の加熱温度の調節及び前記送風部の風量の調節を御制し、
前記コントローラには、コントロールパネルが配置されていることを特徴とする請求項１に記載の暖房装置。
【請求項９】
前記暖房装置は、さらにセンサ及びスイッチを備え、
前記センサは、前記第一支持部における前記ペダルに向かう一側に配置され、
前記スイッチは、前記第二支持部に配置され、
前記センサおよび前記スイッチは、それぞれ前記コントローラと電気的に接続され、
前記コントローラは、前記スイッチの作動と停止を御制し、
前記センサは、加熱待機中の対象を検査し、且つ前記コントローラへフィードバックすることを特徴とする請求項８に記載の暖房装置。
【請求項１０】
前記暖房装置は、さらにイオン発生機を備え、
前記イオン発生機は、前記支持ケース内に設置されることを特徴とする請求項１に記載の暖房装置。